(57)【要約】 【課題】  在庫として所有する材料の確認作業を容易に行うことができ、また材料についての材料情報の更新を容易に行うことのできる情報管理支援装置を提供することである。【解決手段】  情報管理支援装置１０は、記憶部１１と、受信部１２と、演算部１３と、出力部１４とを含んで構成される。記憶部１１は、在庫として所有される材料についての情報を、在庫情報Ｄ１として記憶する。受信部１２は、使用者が購入した材料の購入材料情報Ｄ２を、端末機形電子式金銭登録機から受信する。演算部１３は、受信部１２が受信した購入材料情報Ｄ２に基づいて、記憶部１１に記憶される在庫情報Ｄ１を書換える。出力部１４は、記憶部１１に記憶される在庫情報Ｄ１の少なくとも一部を出力する。【選択図】      図１
2010044463.tif 000002
【特許請求の範囲】
【請求項１】
在庫として所有される材料についての情報を在庫情報として記憶する記憶部と、
使用者が購入した材料の購入材料情報を端末機形電子式金銭登録機から受信する受信部と、
前記受信部が受信した前記購入材料情報に基づいて前記記憶部に記憶される前記在庫情報を書換える演算部と、
前記記憶部に記憶される前記在庫情報の少なくとも一部を出力する出力部とを含むことを特徴とする情報管理支援装置。
【請求項２】
前記記憶部には、複数の料理情報および各料理情報に関連する必要材料情報が予め記憶され、
使用者が選択する料理情報を前記演算部に入力する使用者入力部をさらに含み、
前記演算部は、前記使用者入力部から入力された料理情報に関連する必要材料情報と、前記在庫情報とを比較し、前記必要材料情報のうち前記在庫情報と重複する情報を除く残余の情報があれば、この残余の情報を不足材料情報として算出し、
前記出力部は、前記演算部が算出した前記不足材料情報を出力することを特徴とする請求項１に記載の情報管理支援装置。
【請求項３】
前記記憶部は、前記不足材料情報をさらに記憶することを特徴とする請求項２に記載の情報管理支援装置。
【請求項４】
前記演算部は、前記不足材料情報と前記購入材料情報とを比較し、前記不足材料情報のうち前記購入材料情報と重複する情報を除く残余の情報があれば、この残余の情報を未購入材料情報として算出し、
前記出力部は、前記未購入材料情報を出力することを特徴とする請求項２または３に記載の情報管理支援装置。
【請求項５】
前記演算部は、前記未購入材料情報があれば、前記不足材料情報として記憶される情報を未購入材料情報と同じに書換え、前記不足材料情報の全てが前記購入材料情報と重複する場合には、前記不足材料情報を消去することを特徴とする請求項４に記載の情報管理支援装置。
【請求項６】
前記在庫情報は、在庫として所有される材料の使用期限についての情報を含み、
前記出力部は、前記在庫情報に含まれる材料に使用期限を過ぎた材料があれば、使用期限を過ぎた材料についての警告情報を出力することを特徴とする請求項１〜５のいずれか１つに記載の情報管理支援装置。
【請求項７】
時刻を計測する時刻計測部をさらに含み、
前記使用者入力部は、使用者が予め定める設定時刻の情報を前記記憶部に入力する設定時刻入力部を含み、
前記記憶部は、前記設定時刻入力部から入力された前記設定時刻の情報をさらに記憶し、
前記演算部は、前記時刻計測部による測定結果と、前記記憶部に記憶される前記設定時刻の情報とに基づいて、現在時刻と使用者の入力した前記設定時刻とが一致したか否かを判定し、
前記出力部は、前記演算部が現在時刻と前記設定時刻とが一致したと判定したときに、使用者に対して入力を促す入力促進情報を出力することを特徴とする請求項１〜６のいずれか１つに記載の情報管理支援装置。
【請求項８】
前記入力促進情報は、前記在庫情報のうち使用が終了した材料の情報の入力を促す促進情報を含むことを特徴とする請求項７に記載の情報管理支援装置。
【請求項９】
前記演算部は、前記在庫情報のうち、前記使用が終了した材料の情報と重複する情報を消去することを特徴とする請求項８に記載の情報管理支援装置。
【請求項１０】
前記入力促進情報は、前記料理情報の入力を促す促進情報を含むことを特徴とする請求項７に記載の情報管理支援装置。
【請求項１１】
前記記憶部は、複数の設定時刻の情報と、各設定時刻について設定される種別を表す情報とを記憶し、
前記入力促進情報は、各設定時刻について設定される種別に応じて異なる複数の促進情報を含むことを特徴とする請求項７〜１０のいずれか１つに記載の情報管理支援装置。
【発明の詳細な説明】
【技術分野】
【０００１】
本発明は、在庫として所有する材料についての情報管理を支援する情報管理支援装置に関する。
【背景技術】
【０００２】
従来技術に係る情報管理支援装置として、電子買い物支援装置が知られる。電子買い物支援装置は、料理データベースから検索条件に合致する材料情報を抽出し、買い物リストを表示する。使用者は、買い物リストに表示された材料情報にチェックを付加することで購入済みであることを入力する。
【０００３】
【特許文献１】特開２００４−２５８９９５号公報
【発明の開示】
【発明が解決しようとする課題】
【０００４】
従来技術に係る電子買い物支援装置では、購買の必要性がある材料情報を表す買い物リストに対して、すでに所有する材料を使用者が確認し、各材料に対して手入力する必要がある。したがって、使用頻度が高ければ高いほど、すでに所有する材料の確認作業および手入力が煩雑になるという問題点がある。従来技術に係る電子買い物支援装置には、在庫材料の賞味期限を登録しておくことができるけれども、その更新のための確認作業および手入力は必要であり、在庫の確認および入力にかかる作業が煩雑であるという問題点がある。
【０００５】
本発明の目的は、在庫として所有する材料の確認作業を容易に行うことができ、また材料についての材料情報の更新を容易に行うことのできる情報管理支援装置を提供することである。
【課題を解決するための手段】
【０００６】
本発明に従えば、情報管理支援装置は、記憶部と、受信部と、演算部と、出力部とを含んで構成される。記憶部は、在庫として所有される材料についての情報を、在庫情報として記憶する。受信部は、使用者が購入した材料の購入材料情報を、端末機形電子式金銭登録機から受信する。演算部は、受信部が受信した購入材料情報に基づいて、記憶部に記憶される在庫情報を書換える。出力部は、記憶部に記憶される在庫情報の少なくとも一部を出力する。
【０００７】
また本発明に従えば、記憶部には、複数の料理情報および各料理情報に関連する必要材料情報が予め記憶され、情報管理支援装置は、使用者入力部をさらに含んで構成される。使用者入力部は、使用者が選択した料理情報を演算部に入力する。演算部は、使用者入力部から入力された料理情報に関連する必要材料情報と在庫情報とを比較し、必要材料情報のうち在庫情報と重複する情報を除く残余の情報があれば、この残余の情報を不足材料情報として算出する。出力部は、演算部が算出した不足材料情報を出力する。
【０００８】
また本発明に従えば、記憶部は、不足材料情報をさらに記憶する。
また本発明に従えば、演算部は、不足材料情報と購入材料情報とを比較し、不足材料情報のうち購入材料情報と重複する情報を除く残余の情報があれば、この残余の情報を未購入材料除法として算出する。出力部は、未購入材料情報を出力する。
【０００９】
また本発明に従えば、演算部は、未購入材料情報があれば、不足材料情報として記憶される情報を未購入材料情報と同じに書換え、不足材料情報の全てが購入材料情報と重複する場合には、不足材料情報を消去する。
【００１０】
また本発明に従えば、在庫情報は、在庫として所有される材料の使用期限についての情報を含み、出力部は、在庫上方に含まれる材料に使用期限を過ぎた材料があれば、使用期限を過ぎた材料についての警告情報を出力する。
【００１１】
また本発明に従えば、情報管理支援装置は、時刻計測部をさらに含み、時刻計測部は、時刻を計測する。使用者入力部は、設定時刻入力部を含み、設定時刻入力部は、使用者が予め定める設定時刻の情報を、記憶部に入力する。記憶部は、設定時刻入力部から入力された設定時刻の情報をさらに記憶する。演算部は、時刻計測部による測定結果と記憶部に記憶される設定時刻の情報とに基づいて、現在時刻と使用者の入力した設定時刻とが一致したか否かを判定する。出力部は、演算部が現在時刻と設定時刻とが一致したと判定したときに、入力促進情報を出力する。入力促進情報は、使用者に対して入力を促す。
【００１２】
また本発明に従えば、入力促進情報は、在庫情報のうち使用が終了した材料の情報の入力を促す促進情報を含む。
【００１３】
また本発明に従えば、演算部は、在庫情報のうち、使用が終了した材料の情報と重複する情報を消去する。
【００１４】
また本発明に従えば、入力促進情報は、料理情報の入力を促す促進情報を含む。
また本発明に従えば、記憶部は、複数の設定時刻の情報と、各設定時刻について設定される種別を表す情報とを記憶する。入力促進情報は、設定時刻について設定される種別に応じて異なる複数の促進情報を含む。
【発明の効果】
【００１５】
本発明によれば、受信部は、使用者が購入した材料の購入材料情報を、端末機形電子式金銭登録機から受信する。これによって、材料を購入によって在庫として所有される材料が増加しても、在庫情報を更新するために手入力する必要がない。したがって、在庫情報を手入力によって行う場合に比べて、在庫情報の更新を容易にすることができ、また在庫情報の更新の頻度の上昇に対して、必要な労力の増大を抑制することができる。したがって、在庫として所有する材料の確認作業をも容易にすることができる。
【００１６】
また本発明によれば、演算部は、使用者入力部から入力された料理情報に関連する必要材料情報と在庫情報とを比較し、出力部は、演算部が算出した不足材料情報を出力する。これによって、使用者が入力した料理情報が示す料理に関連する材料を、使用者に対して出力することができる。したがって、料理に基づいて購入すべき材料を、使用者は知ることができる。これによって、料理に必要な材料の購入のし忘れを防止することができる。
【００１７】
また本発明によれば、記憶部は、不足材料情報をさらに記憶する。これによって、不足材料情報の算出を、料理情報の入力の度に行う必要性をなくすことができる。したがって、使用者が不足材料情報を知りたいときに、料理情報を入力する必要性をなくし、不足材料情報の算出にかかる演算部の負荷を低減することができる。
【００１８】
また本発明によれば、演算部は、未購入材料除法として算出し、出力部は、未購入材料情報を出力する。これによって、使用者が入力した料理情報の料理の作成に必要で、かつ購入の必要性が残る材料を、使用者に対して出力することができる。
【００１９】
また本発明によれば、演算部は、未購入材料情報があれば、不足材料情報として記憶される情報を未購入材料情報と同じに書換え、不足材料情報の全てが購入材料情報と重複する場合には、不足材料情報を消去する。これによって、不足材料情報と未購入材料情報とが個別に重複して蓄積されることを防止することができる。したがって、記憶部に記憶される情報量を低減することができる。これによって、演算部による処理速度を増大させ、演算及び出力にかかる時間を短縮することができる。
【００２０】
また本発明によれば、出力部は、在庫上方に含まれる材料に使用期限を過ぎた材料があれば、使用期限を過ぎた材料についての警告情報を出力する。これによって、使用期限が過ぎた材料が使用者によって使用されることを防止することができる。したがって、使用期限が過ぎた材料が使用されることに伴う弊害を防止することができる。
【００２１】
また本発明によれば、情報管理支援装置は、時刻計測部をさらに含み、出力部は、演算部が現在時刻と設定時刻とが一致したと判定したときに、入力促進情報を出力する。入力促進情報は、使用者に対して入力を促す。これによって、使用者の入力のし忘れを防止することができる。また入力促進情報は、使用者が予め定めた設定時刻に出力されるので、入力が可能だと使用者が考えた時刻に入力を促すことができる。したがって、入力が延期される可能性を低減することができる。
【００２２】
また本発明によれば、入力促進情報は、在庫情報のうち使用が終了した材料の情報の入力を促す促進情報を含む。これによって、使用が終了した材料についての情報を、在庫情報に反映することができる。
【００２３】
また本発明によれば、演算部は、在庫情報のうち、使用が終了した材料の情報と重複する情報を消去する。これによって、記憶部に記憶される在庫情報の情報量を低減することができる。したがって、演算部による処理速度を増大させることができ、演算及び出力にかかる時間を短縮することができる。
【００２４】
また本発明によれば、入力促進情報は、料理情報の入力を促す促進情報を含む。これによって、料理のための準備の必要性を、使用者が設定した時刻に使用者に報知することができる。したがって、買い物に出かける必要があるか否かを、使用者が設定した時刻に使用者に判断させることができ、準備のし忘れを防止することができる。
【００２５】
また本発明によれば、記憶部は、複数の設定時刻の情報と、各設定時刻について設定される種別を表す情報とを記憶し、入力促進情報は、設定時刻について設定される種別に応じて異なる複数の促進情報を含む。これによって、たとえば料理情報の入力を促す時刻と使用が終了した材料についての情報の入力を促す時刻とを、それぞれ設定することが可能となり、忘却によって弊害が生じる可能性のある複数の事象について、注意喚起することができる。したがって、忘却による弊害の発生を防止することができ、材料の準備に関して安心を促すことができる。
【発明を実施するための最良の形態】
【００２６】
以下、図面を参照しながら本発明を実施するための形態について説明する。以下に示す実施形態は、本発明に係る技術を具体化するために例示するものであり、本発明の技術的範囲を限定するものではない。本発明に係る技術内容は、特許請求の範囲に記載された技術的範囲内において、種々の変更を加えることが可能である。
【００２７】
（実施形態）
図１は、本発明の一実施形態に係る情報管理支援装置１０の構成を表すブロック図である。一実施形態において、情報管理支援装置１０は、在庫として所有する材料についての情報管理を支援する装置である。情報管理支援装置１０は、記憶部１１と、受信部１２と、演算部１３と、出力部１４とを含んで構成される。記憶部１１は、在庫として所有される材料についての情報を、在庫情報Ｄ１として記憶する。受信部１２は、使用者が購入した材料の購入材料情報Ｄ２を、端末機形電子式金銭登録機（point of sales terminal, 略称「ＰＯＳターミナル」）から受信する。演算部１３は、受信部１２が受信した購入材料情報Ｄ２に基づいて、記憶部１１に記憶される在庫情報Ｄ１を書換える。出力部１４は、記憶部１１に記憶される在庫情報Ｄ１の少なくとも一部を出力する。少なくとも記憶部１１と、受信部１２と、出力部１４とは、一体にかつ携帯可能に形成される。
【００２８】
情報管理支援装置１０は、たとえば携帯情報端末（personal digital assistance, 略称「ＰＤＡ）、または携帯電話の機能を有する装置などによって実現され、記憶部１１は、たとえば不揮発性媒体によって実現される。具体的には、フラッシュメモリなどの半導体メモリ、ＳＲＡＭ（static random access memory）、擬似ＳＲＡＭ、ＳＤカードなどのメモリーカード、ハードディスクなどで実現されてもよい。
【００２９】
出力部１４は、本実施形態においては液晶表示装置によって実現される。ただし出力部１４は、液晶を用いない表示装置でもよく、また音声情報として出力する出力装置であってもよい。またプリンタおよびプロッタのうちのいずれかに接続し、プリンタまたはプロッタに対して印刷、印字などを行わせる情報出力部によって実現することも可能である。また後述する入力促進情報の出力として振動を利用するため、出力部１４は、振動を発生させるバイブレータを含む構成としてもよい。
【００３０】
在庫情報Ｄ１は、在庫として所有される材料の使用期限についての情報を含み、出力部１４は、在庫上方に含まれる材料に使用期限を過ぎた材料があれば、使用期限を過ぎた材料についての警告情報を出力する。本実施形態において、在庫情報Ｄ１、必要材料情報Ｄ３、購入材料情報Ｄ２、不足材料情報Ｄ４、および未購入材料情報Ｄ５は、食材に関する情報である。本実施形態において使用期限は、賞味期限および消費期限のうちの少なくともいずれかを含み、１つの食材について仮に賞味期限および消費期限の両方が表示されるときには、早く訪れる方の期限を使用期限として記憶することが好ましい。
【００３１】
記憶部１１には、複数の料理情報および各料理情報に関連する必要材料情報Ｄ３が予め記憶され、情報管理支援装置１０は、使用者入力部１６をさらに含んで構成される。受信部１２と使用者入力部１６とは、演算部１３に対して入力部１８として機能する。各料理情報に関連する必要材料情報Ｄ３は、使用者入力部１６からの入力によっても、書換え可能である。
【００３２】
使用者入力部１６は、使用者が選択した料理情報を演算部１３に入力する。演算部１３は、使用者入力部１６から入力された料理情報に関連する必要材料情報Ｄ３と在庫情報Ｄ１とを比較し、必要材料情報Ｄ３のうち在庫情報Ｄ１と重複する情報を除く残余の情報があれば、この残余の情報を不足材料情報Ｄ４として算出する。出力部１４は、演算部１３が算出した不足材料情報Ｄ４を出力する。記憶部１１は、不足材料情報Ｄ４をさらに記憶する。演算部１３は、たとえば中央演算処理装置（central processing unit, 略称「ＣＰＵ」）によって実現される。
【００３３】
図２は、本発明の一実施形態において、記憶部１１が記憶する情報および演算部１３が算出する情報の相互関係を表す図である。本実施形態において在庫として所有される材料は、たとえば冷蔵庫に備蓄される食材であり、食事を自宅でとる場合には、冷蔵庫内の食材の品揃えは、ほぼ毎日変化する。在庫として所有される材料は、たとえば乾物の食材などを含んでもよいけれども、特に冷蔵庫に備蓄される食材は、生ものであることが多く、乾物に比べて品揃えの変化の頻度が高い。したがって、情報管理支援装置１０に在庫情報Ｄ１として記憶される材料の情報は、乾物食材の情報を含んでもよいけれども、少なくとも冷蔵庫内に備蓄されることの多い、生ものの食材を含む。
【００３４】
在庫情報Ｄ１としては、備蓄される食材の名称、使用期限、分量などを含み、分量としては、たとえば何人前、重量、個数などの情報として記憶される。在庫情報Ｄ１はさらに、各食材の性状などの情報を含んでいてもよい。在庫情報Ｄ１は、各食材の種類の情報を名称として含み、記憶部１１は、各名称をそれぞれ１つの項目として、名称以外の各食材の情報、たとえば使用期限、分量、性状などの情報は、各項目に関連付けて記憶する。
【００３５】
料理情報は、予め情報管理支援装置１０に記憶されるか、または外部入力装置から情報管理支援装置１０に対して一括して入力されることが好ましい。料理情報には、各料理情報に関連する必要材料情報Ｄ３が関係付けられている。必要材料情報Ｄ３は、いわゆるレシピを含み、料理情報が表す料理を作製するのに必要な材料情報を含み、たとえば料理の原料としての食材、形状、大きさなどの情報を含んでいてもよい。必要材料情報Ｄ３はさらに、たとえば各料理に用いるのに好ましい色などについての情報を含んでいてもよい。必要情報は、各食材の種類の情報を名称として含み、記憶部１１は、各名称をそれぞれ１つの項目として、名称以外の各食材の情報、たとえば形状、大きさ、色などの情報は、各項目に関連付けて記憶する。
【００３６】
不足材料情報Ｄ４は、料理情報のうちから作製しようとする料理を決定したときに、決定した料理の料理情報に関連付けられる必要材料情報Ｄ３の項目から、在庫情報Ｄ１と重複する項目を差引くことによって求められる。本実施形態では、在庫情報Ｄ１に含まれる項目と必要材料情報Ｄ３に含まれる項目とで、名称が同じであれば同じ項目として取扱うけれども、たとえば形状および大きさのうち、いずれかが異なれば異なる項目であるものとして取扱うことも可能である。
【００３７】
不足材料情報Ｄ４は、必要材料情報Ｄ３のうち、在庫情報Ｄ１と項目が重複する情報を差引いた情報であるので、すなわち購入しなければ在庫にない食材の情報である。情報管理支援装置１０は、出力部１４によって不足材料情報Ｄ４を表示することで、使用者に購入を促すことができる。演算部１３は、不足材料情報Ｄ４と購入材料情報Ｄ２とを比較し、不足材料情報Ｄ４のうち購入材料情報Ｄ２と重複する情報を除く残余の情報があれば、この残余の情報を未購入材料除法として算出する。出力部１４は、未購入材料情報Ｄ５を出力する。
【００３８】
購入材料情報Ｄ２は、受信部１２がＰＯＳターミナル２１から受信し、記憶部１１に記憶する。受信部１２は、ＰＯＳターミナル２１からの情報を受信可能に形成される。ＰＯＳターミナル２１は、食材の購入者が購入した商品を個別に認識し、情報として蓄積するので、受信部１２は、情報管理支援装置１０の使用者が購入した商品についての情報を、ＰＯＳターミナル２１から受信することは、可能である。
【００３９】
ＰＯＳターミナル２１は、いわゆるレジとして設置される装置で実現される。ＰＯＳターミナル２１から受信部１２への情報の伝送を容易にするため、ＰＯＳターミナル２１は、情報管理支援装置１０に対応した送信部を含み、情報管理支援装置１０とＰＯＳターミナル２１とが、全体として統一した食材情報管理支援装置１０に含まれる構成として形成されることが好ましい。
【００４０】
ＰＯＳターミナル２１と受信部１２との情報の伝達は、たとえば、ＦｅｌｉＣａ、ＮＦＣ（near field communication）などの非接触通信によって実現されることが好ましい。また受信部１２は、カードの内部にアンテナを持ち、外部の端末から発信される電波を利用してデータを送受信する非接触ＩＣカード２６を含んで構成されるとよい。非接触ＩＣカード２６は、非接触ＩＣカード２６自体が動作するための電気を、送信側の装置から伝送される電波による電磁誘導で生成し、電池なしで動作させることが可能である。
【００４１】
購入材料情報Ｄ２は、各食材の種類の情報を名称として含み、記憶部１１は、各名称をそれぞれ１つの項目として、名称以外の各食材の情報、たとえば形状、大きさ、色などの情報は、各項目に関連付けて記憶する。未購入材料情報Ｄ５は、使用者が食材を購入し、ＰＯＳターミナル２１から受信部１２を介して購入材料情報Ｄ２を情報管理支援装置１０に取得したときに、不足材料情報Ｄ４の項目から、購入材料情報Ｄ２の項目を差引くことによって求められる。本実施形態では、不足材料情報Ｄ４の項目と購入材料情報Ｄ２の項目とで、名称が同じであれば同じ項目として取扱うけれども、たとえば形状および大きさのうち、いずれかが異なれば異なる項目であるものとして取扱うことも可能である。
【００４２】
未購入材料情報Ｄ５は、購入材料情報Ｄ２が入力されても、なお未だ使用者が所有していない食材の情報である。情報管理支援装置１０は、出力部１４によって未購入材料情報Ｄ５を表示することで、使用者に購入を促すことができる。演算部１３は、未購入材料情報Ｄ５があれば、不足材料情報Ｄ４として記憶される情報を未購入材料情報Ｄ５と同じに書換え、不足材料情報Ｄ４の全てが購入材料情報Ｄ２と重複する場合には、不足材料情報Ｄ４を消去する。
【００４３】
情報管理支援装置１０は、時刻計測部１７をさらに含み、時刻計測部１７は、時刻を計測する。使用者入力部１６は、設定時刻入力部１９を含み、設定時刻入力部１９は、使用者が予め定める設定時刻の情報を、記憶部１１に入力する。記憶部１１は、設定時刻入力部１９から入力された設定時刻の情報をさらに記憶する。演算部１３は、時刻計測部１７による測定結果と記憶部１１に記憶される設定時刻の情報とに基づいて、現在時刻と使用者の入力した設定時刻とが一致したか否かを判定する。出力部１４は、演算部１３が現在時刻と設定時刻とが一致したと判定したときに、入力促進情報を出力する。入力促進情報は、使用者に対して入力を促す。使用者入力部１６と、時刻計測部１７とは、記憶部１１、受信部１２、出力部１４と一体にかつ携帯可能に形成される。
【００４４】
入力促進情報は、在庫情報Ｄ１のうち使用が終了した材料の情報の入力を促す促進情報を含む。演算部１３は、在庫情報Ｄ１のうち、使用が終了した材料の情報と重複する情報を消去する。在庫情報Ｄ１と、使用が終了した材料の情報とは、各食材の名称によって表される項目毎に比較され、情報の消去は、各項目およびこれに関連付けられる情報を一つの単位として行われる。
【００４５】
入力促進情報は、料理情報の入力を促す促進情報を含む。記憶部１１は、複数の設定時刻の情報と、各設定時刻について設定される種別を表す情報とを記憶する。入力促進情報は、設定時刻について設定される種別に応じて異なる複数の促進情報を含む。たとえば、料理の作製に用いる食材を購入するために、店舗に買い物行く時間以前の予め定める第１時刻に、出力部１４は、入力促進情報として、料理情報の入力を促す促進情報を出力する。これはたとえば音声、および情報管理支援装置１０全体の振動の少なくともいずれか一方として出力する。料理の作製が終了した後の予め定める第２時刻に、出力部１４は、入力促進情報として、使用が終了した材料の情報の入力を促す促進情報を出力する。この出力も、たとえば音声、および情報管理支援装置１０全体の振動の少なくともいずれか一方として出力する。
【００４６】
本実施形態に係る情報管理支援装置１０は、具体的には、図１のブロック図に示すような構成を含む。使用者入力部１６は、携帯電話のように、複数の入力キー２２を含み、さらにキー制御部２４を含む。入力キー２２は、かな文字や数字、アルファベット、記号などの文字を入力するためのボタンである。具体的には入力キー２２は、「１」、「２」、…「９」、「０」を入力するテンキー（番号キーともいう）、「＊」を入力するアスタリスクキー、「＃」を入力するシャープキーなどが設けられており、キーが押されることで各キーからキー制御部２４に信号が伝達される。キー制御部２４は、入力キー２２から伝達される信号によって、押されたキーを区別し、押されたキーの情報を演算部１３へと伝送する。
【００４７】
入力キー２２は、さらに入力に関するモードを切換えるキーを含む。モードを切換えるキーが使用者によって押されることで、使用者入力部１６の入力モードは、たとえば、かなを入力するモード、カタカナを入力するモード、アルファベットを入力するモード、数字を入力するモード、および記号を入力するモードなどのうちいずれか１つのモードに切換えられる。さらに入力キー２２は、電源の態様をオン状態およびオフ状態のいずれか一方に設定する電源キーおよび上下左右を表すカーソルキーなどを含む。
【００４８】
入力部１８は、前述のように、使用者入力部１６に加えて、さらに受信部１２と設定時刻入力部１９とを含む。受信部１２は、非接触ＩＣカード２６と、非接触ＩＣ制御部２７とを含む。非接触ＩＣ制御部２７は、非接触ＩＣカード２６と演算部１３との間に介在して配置され、ＰＯＳターミナル２１の送信側端末と非接触ＩＣカード２６との間の情報伝送を実現し、さらに非接触ＩＣカード２６と演算部１３との情報伝送を実現する。設定時刻入力部１９は、入力キー２２とは独立して設けられてもよいけれども、本実施形態において設定時刻入力部１９は、入力キー２２と、構造部品を共通して実現される。
【００４９】
具体的には、入力キー２２の操作によって、使用者入力部１６のモードが設定時刻を入力するモードに切換えられることによって、設定時刻を入力できるモードが設定され、さらに使用者入力部１６の操作によって、設定時刻が設定される。また使用者入力部１６は、使用者の操作によって現在時刻を演算処理部に入力し、時刻計測部１７は、入力された現在時刻に基づいて、常時、時刻を計測し続ける。
【００５０】
出力部１４は、液晶ディスプレイ（liquid crystal display, 略称「ＬＣＤ」）２８および表示制御部３２を含み、表示制御部３２は、演算部１３からの制御によってＬＣＤ２８での表示内容を制御する。さらに表示制御部３２は、ＬＣＤ２８の表示に関する設定を制御する。たとえばＬＣＤ２８の明るさ、文字の大きさ、色合いなどである。
【００５１】
記憶部１１は、冷蔵庫データベース３３を含み、冷蔵庫データベース３３は、前述したように、冷蔵庫に保存される在庫情報Ｄ１を記憶する。記憶部１１は、さらにメモ記憶部３４を含み、使用者入力部１６から入力される、たとえばテキスト形式のデータを記憶保存する。冷蔵庫データベース３３およびメモ記憶部３４は、不揮発性の記憶媒体によって実現され、これら記憶媒体は、メモリ制御部３６を介して演算部１３に接続される。メモリ制御部３６は、演算部１３からの制御によって、記憶媒体に記憶される内容情報の書込み、読出し、消去および書換えなどを制御する。また記憶媒体から読出された内容情報を、演算部１３に伝送する。
【００５２】
記憶部１１は、冷蔵庫データベース３３を含むので、冷蔵庫内に在庫として所有される材料の在庫情報Ｄ１を、各材料の賞味期限の情報とも関連付けて記憶し、購買の必要性がある不足材料情報Ｄ４を列挙するための基礎的な情報源とすることができる。さらに記憶部１１は、料理情報を、各料理情報が示す料理に必要な必要材料情報Ｄ３とも関連付けて記憶するので、使用者が作製を望む料理のレシピを、使用者が料理情報を選択することで、表示することができる。在庫情報Ｄ１と必要材料情報Ｄ３との比較の結果、使用者が作製を望む料理について、不足材料情報Ｄ４を求めることができる。記憶部１１は、不足材料情報Ｄ４も、不揮発性の記憶媒体に記憶する。不足材料情報Ｄ４は、記憶媒体において、メモ記憶部３４に記憶してもよい。
【００５３】
受信部１２は、非接触ＩＣカード２６での通信によって、使用者が購入した材料の購入材料情報Ｄ２を、ＰＯＳターミナル２１から取得する。演算部１３はメモリ制御部３６を制御し、購入材料情報Ｄ２に基づいて、冷蔵庫データベース３３に記憶される在庫情報Ｄ１を更新する。また不足材料情報Ｄ４と購入材料情報Ｄ２とを比較、照合することによって、未購入の材料があれば、未購入材料情報Ｄ５として使用者に通知する。使用者が購入した材料によって、不足材料情報Ｄ４が示す材料が全て満たされていると判断される場合には、演算部１３がメモリ制御部３６を制御し、不足材料情報Ｄ４を削除する。
【００５４】
たとえば調理終了後など、使用者が料理を作製したことによって材料を消費し、在庫として所有しなくなったときに、消費された材料についての情報を使用者から入力されると、消費された材料に相当する個々の材料の情報を、冷蔵庫データベース３３から消去し、冷蔵庫データベース３３を更新する。
【００５５】
さらに在庫情報Ｄ１として記憶される材料の情報および現在時刻の情報から、使用期限が過ぎたと判断される材料があれば、その材料の情報を、使用者に対して通知する。使用期限が過ぎたと判断される材料、たとえば賞味期限切れの食材についての材料情報は、演算部１３によって自動的に在庫情報Ｄ１から消去してもよいけれども、使用者に通知し、使用者からの判断の入力に応じて、削除を行う構成とすることもできる。
【００５６】
このような構成とすることによって情報管理支援装置１０は、冷蔵庫との通信を必要とせず、またユーザーの操作をほとんど必要とせず、冷蔵庫内に在庫として保管される食材の情報と購入すべき食材を知ることができ、購入忘れも防止することができる。
【００５７】
本実施形態において料理情報およびその料理の作製に必要な必要材料情報Ｄ３は、記憶部１１に記憶されるものとしたけれども、たとえばインターネットなどの電波式通信網においてサーバとして実現されるホストコンピュータに記憶され、情報管理支援装置１０は、電波式通信網を介して料理情報および必要材料情報Ｄ３を取得してもよい。以下、インターネットなどの電波式通信網を利用した、サーバとして実現されるホストコンピュータとの通信を、単に「ｗｅｂ通信」と称することがある。
【００５８】
本実施形態によれば、受信部１２は、使用者が購入した材料の購入材料情報Ｄ２を、端末機形電子式金銭登録機から受信する。演算部１３は、受信部１２が受信した購入材料情報Ｄ２に基づいて、記憶部１１に記憶される在庫情報Ｄ１を書換える。これによって、材料を購入によって在庫として所有される材料が増加しても、在庫情報Ｄ１を更新するために手入力する必要がない。したがって、在庫情報Ｄ１を手入力によって行う場合に比べて、在庫情報Ｄ１の更新を容易にすることができ、また在庫情報Ｄ１の更新の頻度の上昇に対して、必要な労力の増大を抑制することができる。したがって、在庫として所有する材料の確認作業をも容易にすることができる。
【００５９】
また本実施形態によれば、記憶部１１には、複数の料理情報および各料理情報に関連する必要材料情報Ｄ３が予め記憶され、使用者入力部１６は、使用者が選択した料理情報を演算部１３に入力する。演算部１３は、使用者入力部１６から入力された料理情報に関連する必要材料情報Ｄ３と在庫情報Ｄ１とを比較し、必要材料情報Ｄ３のうち在庫情報Ｄ１と重複する情報を除く残余の情報があれば、この残余の情報を不足材料情報Ｄ４として算出する。これによって、使用者が入力した料理情報が示す料理に関連する材料を、使用者に対して出力することができる。したがって、料理に基づいて購入すべき材料を、使用者は知ることができる。これによって、料理に必要な材料の購入のし忘れを防止することができる。
【００６０】
また本実施形態によれば、記憶部１１は、不足材料情報Ｄ４をさらに記憶する。これによって、不足材料情報Ｄ４の算出を、料理情報の入力の度に行う必要性をなくすことができる。したがって、使用者が不足材料情報Ｄ４を知りたいときに、料理情報を入力する必要性をなくし、不足材料情報Ｄ４の算出にかかる演算部１３の負荷を低減することができる。
【００６１】
また本実施形態によれば、演算部１３は、不足材料情報Ｄ４と購入材料情報Ｄ２とを比較し、不足材料情報Ｄ４のうち購入材料情報Ｄ２と重複する情報を除く残余の情報があれば、この残余の情報を未購入材料除法として算出する。これによって、使用者が入力した料理情報の料理の作成に必要で、かつ購入の必要性が残る材料を、使用者に対して出力することができる。
【００６２】
また本実施形態によれば、演算部１３は、未購入材料情報Ｄ５があれば、不足材料情報Ｄ４として記憶される情報を未購入材料情報Ｄ５と同じに書換え、不足材料情報Ｄ４の全てが購入材料情報Ｄ２と重複する場合には、不足材料情報Ｄ４を消去する。これによって、不足材料情報Ｄ４と未購入材料情報Ｄ５とが個別に重複して蓄積されることを防止することができる。したがって、記憶部１１に記憶される情報量を低減することができる。これによって、演算部１３による処理速度を増大させ、演算及び出力にかかる時間を短縮することができる。
【００６３】
また本実施形態によれば、在庫情報Ｄ１は、在庫として所有される材料の使用期限についての情報を含み、出力部１４は、在庫上方に含まれる材料に使用期限を過ぎた材料があれば、使用期限を過ぎた材料についての警告情報を出力する。これによって、使用期限が過ぎた材料が使用者によって使用されることを防止することができる。したがって、使用期限が過ぎた材料が使用されることに伴う弊害を防止することができる。
【００６４】
また本実施形態によれば、演算部１３は、時刻計測部１７による測定結果と記憶部１１に記憶される設定時刻の情報とに基づいて、現在時刻と使用者の入力した設定時刻とが一致したか否かを判定する。出力部１４は、演算部１３が現在時刻と設定時刻とが一致したと判定したときに、入力促進情報を出力する。入力促進情報は、使用者に対して入力を促す。これによって、使用者の入力のし忘れを防止することができる。また入力促進情報は、使用者が予め定めた設定時刻に出力されるので、入力が可能だと使用者が考えた時刻に入力を促すことができる。したがって、入力が延期される可能性を低減することができる。
【００６５】
また本実施形態によれば、入力促進情報は、在庫情報Ｄ１のうち使用が終了した材料の情報の入力を促す促進情報を含む。これによって、使用が終了した材料についての情報を、在庫情報Ｄ１に反映することができる。
【００６６】
また本実施形態によれば、演算部１３は、在庫情報Ｄ１のうち、使用が終了した材料の情報と重複する情報を消去する。これによって、記憶部１１に記憶される在庫情報Ｄ１の情報量を低減することができる。したがって、演算部１３による処理速度を増大させることができ、演算及び出力にかかる時間を短縮することができる。
【００６７】
また本実施形態によれば、入力促進情報は、料理情報の入力を促す促進情報を含む。これによって、料理のための準備の必要性を、使用者が設定した時刻に使用者に報知することができる。したがって、買い物に出かける必要があるか否かを、使用者が設定した時刻に使用者に判断させることができ、準備のし忘れを防止することができる。
【００６８】
また本実施形態によれば、記憶部１１は、複数の設定時刻の情報と、各設定時刻について設定される種別を表す情報とを記憶する。入力促進情報は、設定時刻について設定される種別に応じて異なる複数の促進情報を含む。これによって、たとえば料理情報の入力を促す時刻と使用が終了した材料についての情報の入力を促す時刻とを、それぞれ設定することが可能となり、忘却によって弊害が生じる可能性のある複数の事象について、注意喚起することができる。したがって、忘却による弊害の発生を防止することができ、材料の準備に関して安心を促すことができる。
【００６９】
また在庫情報Ｄ１、必要材料情報Ｄ３、購入材料情報Ｄ２、不足材料情報Ｄ４、および未購入材料情報Ｄ５は、食材に関する情報である。これによって、毎日更新する必要のある情報の管理を容易にすることができる。したがって、食材に関する日々の情報管理を便利にすることができる。
【００７０】
また少なくとも記憶部１１と、受信部１２と、出力部１４とは、一体にかつ携帯可能に形成される。これによって、常時携帯することが可能となり、端末機形電子式金銭登録機を備える店舗での使用を容易にすることができる。また場所を選ぶことなく情報管理を行うことができる。
【００７１】
また使用者入力部１６と、時刻計測部１７とは、記憶部１１、受信部１２、出力部１４と一体にかつ携帯可能に形成される。これによって、常時携帯することが可能となり、入力促進情報が使用者に伝達されない可能性を低減することができる。したがって、使用者による材料およびその準備の忘却を防止することができる。
【００７２】
また各料理情報に関連する必要材料情報Ｄ３は、使用者入力部１６からの入力によって、書換え可能である。これによって、料理に関連する必要材料情報Ｄ３を、個人の好みに応じたものに変更することができる。したがって、出力部１４で出力された情報に対する使用者による故意的な変更および無視の必要性を低減することができ、情報管理を便利にすることができる。
【００７３】
また記憶部１１は、不揮発性媒体によって実現される。これによって、電源が切れても情報が消去されることを防止することができる。したがって、電源の消耗による情報の損失を防止し、情報管理の信頼度を高くすることができる。
【００７４】
（実施例）
図３は、本発明の一実施形態において、情報管理支援装置１０が不足材料情報Ｄ４を算出する処理における工程を表すフローチャートである。図４は、本発明の一実施形態において、入力促進情報が出力されてから不足材料情報Ｄ４が算出されるまでの出力部１４の画面を、その遷移の順番に沿って表す図である。本実施形態では、料理情報および必要材料情報Ｄ３は、予め記憶部１１に記憶される。これは、ｗｅｂ通信によってダウンロードされて保存したものであってもよい。
【００７５】
不足材料情報Ｄ４を算出する処理を開始した後、ステップａ１に移行し、レシピ一覧から作製したい料理情報を、使用者の選択に基づいて、決定する。この決定は、使用者入力部１６から演算部１３に情報が伝送されることによって行われる。使用者による料理の選択は、使用者が設定した設定時刻に、出力部１４が使用者に対して入力促進情報を表示して開始されてもよい。図４（ａ）は、晩御飯の前に出力部１４が入力促進情報を表示した場合の例を表している。
【００７６】
図４（ａ）の表示に対して使用者が、「ＯＫ」を選択すると、料理一覧を表示する画面に遷移する。図４（ｂ）は、料理一覧を表示する画面に遷移した後、料理一覧のうち「ごはんもの」の一覧を出した時の例である。この中から料理を選択すると、ステップａ１に移行し、必要な食材一覧、すなわち必要材料情報Ｄ３を表示する。図４（ｃ）は、使用者が「カレーライス」を選択したときの例を示す。
【００７７】
このとき、使用者は、料理を食べることが想定される大人および子供の人数を入力し、料理に必要な食材の分量は、人数分の量として表示される。料理を食べることが想定される大人および子供の人数は、一度の入力によって記憶部１１に記憶される。これによって、次回必要な食材一覧およびそれらの分量を表示するときに、一度入力した大人および子供の人数を、表示される情報に反映するものとする。
【００７８】
次に、ステップａ３に移行し、出力部１４が調理に必要な食材一覧を表示した状態で、演算部１３は、必要材料情報Ｄ３と冷蔵庫データベース３３との照合を行う。図４（ｃ）に示される表示が出力されている状態で、使用者が「ＯＫ」を選択すると、次にステップａ４に移行する。ステップａ４では、出力部の画面表示は、図４（ｄ）に遷移し、出力部１４は、必要な食材の中で冷蔵庫データベース３３にないもの、すなわち不足材料情報Ｄ４を表示することで、不足した材料の情報を、使用者に対して通知する。次に、ステップａ５に移行し、不足材料情報Ｄ４をテキストデータで表される一覧として、メモ帳に自動的に保存する。その後、不足材料情報Ｄ４を算出する処理は、終了する。
【００７９】
図５は、本発明の一実施形態における不足材料情報Ｄ４算出後の、材料情報の処理における工程を表すフローチャートである。図６は、本発明の一実施形態において購入材料情報Ｄ２を取得し始めてからの出力部１４の画面を、その遷移の順番に沿って表す図である。本処理開始後、ステップｂ１に移行し、使用者は、お店で食材を選んでレジへ移動する。レジで支払いをすると同時または支払いを終了した後、ステップｂ２に移行し、情報管理支援装置１０のFelica機能を使用してレジと通信を行う。通信を開始すると出力部１４は、図６（ａ）に示される表示を出力し、購入した食材のリストがレジからデータとして情報管理支援装置１０に送信される。
【００８０】
データを受信すると、ステップｂ３に移行し、ステップａ５で作成した不足食材一覧のメモがあるかどうかを判断する。不足食材一覧のメモがない場合は、ステップｂ４に移行し、購入した食材を冷蔵庫データベース３３に追加する。使用者は、買い物を終了する。ステップｂ３で不足食材一覧のメモがあった場合には、ステップｂ５に移行し、メモに記憶される不足食材一覧と今回購入しようとしている食材一覧との比較を行う。次にステップｂ６に移行し、メモに記憶される不足食材一覧に含まれる食材の項目が、全て購入しようとしている食材情報の項目に含まれているかを判断する。不足食材一覧に含まれる食材の項目が、購入しようとしている食材情報の項目に全て含まれていれば、ステップｂ７に移行し、購入した食材の情報を、冷蔵庫データベース３３に追加する。使用者は、買い物を終了する。その後、ステップｂ８に移行し、不足食材一覧を記載したメモを削除する。
【００８１】
ステップｂ６において、購入しようとしている食材が不足食材を満たしていなければ、ステップｂ９に移行し、出力部１４は、図６（ｂ）に示される表示を出力し、使用者に対して何が足りないかを通知し、さらなる購入を促す。次にステップｂ１０に移行し、使用者に対し、さらにそのお店で買い物を続行するかどうかの判断を促す。使用者は、さらにそのお店での買い物が必要だと判断した場合には、「続行」を選択し再度食材を選びなおしてステップｂ２からやり直すこととなる。そのお店での買い物は必要ないと判断した場合には、「終了」を選択し、ステップｂ１１に移行し、購入した食材を冷蔵庫データベース３３の追加する。次に、ステップｂ１２に移行し、不足食材メモに記載した食材一覧から購入した食材を削除し、メモを更新する。
【００８２】
図７は、本発明の一実施形態において、使用が終了した材料の情報の入力を行うときの処理の工程を表すフローチャートである。図８は、本発明の一実施形態において使用が終了した材料の情報の入力を行うときの出力部１４の画面を、その遷移の順番に沿って表す図である。本処理は、ステップｃ１において、調理終了とともに開始される。その後、調理終了後の、使用者が予め定めた設定時刻になると、ステップｃ２に移行し、出力部１４は、使用者に対して現在時刻が設定時刻となったことを通知する。
【００８３】
次にステップｃ３に移行し、出力部１４は、図８（ａ）に示される表示を出力し、使用者に対してステップａ１で選択した料理を作ったかどうかの問い合わせを行う。次にステップｃ４に移行し、使用者のキーを押す操作によって、使用者の判断結果を受信する。使用者がステップａ１で選択した料理を作ったのであれば「はい(分量確認)」が選択され、ステップｃ６に移行し、出力部１４は、図８（ｂ）に示される表示を出力し、不足食材一覧の食材リストを表示する。次にステップｃ７に移行し、出力部１４は、使用者による確認を促す表示を出力する。
【００８４】
使用者が、ステップａ１で選択した料理とは異なる料理を作った場合には「いいえ」が選択され、ステップｃ５に移行する。ステップｃ５において出力部１４は、選択肢レシピを表示した後、使用者に対して、使用した食材の入力を促す。ステップｃ７において使用者が、実際に使用した食材およびその分量とステップａ１で選択した料理情報の食材情報とが一致したという情報を入力した場合には、冷蔵庫データベース３３から、ステップａ２で表示した必要材料情報Ｄ３に重複するデータを消去する。
【００８５】
ステップｃ７において使用者が、実際に使用した食材およびその分量とステップａ１で選択した料理情報の食材情報とが一致しないという情報を入力した場合には、ステップｃ５に移行し、出力部１４は、選択肢レシピを表示した後、使用者に対して、使用した食材の入力を促す。ステップｃ５では、食材選択や分量入力、食材追加を行い、「ＯＫ」を選択することで、使用が終了した食材の項目および分量についての情報がまとめられる。
【００８６】
次にステップｃ９に移行し、ステップｃ５でまとめられた使用が終了した食材の項目および分量についての情報と同じ項目および分量だけ、冷蔵庫データベース３３から削除する。また、その使用した食材や分量を１つにまとまった情報単位として記憶することで、次回から同じ情報の入力の手間を省くことを可能とする。
【００８７】
図９は、本発明の一実施形態において、賞味期限切れの食材がある場合の処理の工程を表すフローチャートである。図１０は、本発明の一実施形態において賞味期限切れの食材がある場合の出力部１４の画面を、その遷移の順番に沿って表す図である。在庫情報Ｄ１およびこれに追加される購入材料情報Ｄ２は、購入した際に食材の分量に加えて、賞味期限も冷蔵庫データベース３３に記憶しているものとする。冷蔵庫データベース３３で管理している食材の中に、賞味期限切れの食材があるかどうかの検索は、演算部１３が予め定めるプログラムに従って、冷蔵庫データベース３３に記憶される情報を検索することによって、一日一回行う。検索を行う時刻は、任意に設定可能であるものとする。ステップｄ１において、演算部１３が、賞味期限切れの食材があるとの判断を行うことによって、本処理は開始される。
【００８８】
次に、ステップｄ２に移行し、予め使用者が設定している賞味期限切れフラグが設定されているかどうかを確認する。賞味期限切れフラグは、賞味期限が間近であることを使用者が認識し、そのことをその材料の情報に追加した情報を表す。賞味期限切れフラグが設定されていれば、ステップｄ３に移行し、賞味期限切れの食材を自動で冷蔵庫データベースから削除する。設定されていない場合、ステップｄ４に移行し、賞味期限切れとなっている食材一覧を図１０（ａ）に示すような画面によって表示し、使用者に対して賞味期限切れとなっている食材の存在およびそれらの食材の情報を通知する。
【００８９】
次にステップｄ５に移行し、賞味期限切れとなった食材の情報を冷蔵庫データベース３３から削除するかどうかの選択を、使用者に促す。ステップｄ５において出力部１４が表示する画面は、ステップｄ４における通知のときの画面と共通する、図１０（ａ）に示される画像表示とすることができる。使用者は、その表示されたリストに従い削除するかどうかを判断する。使用者が、賞味期限切れとなった食材の情報を冷蔵庫データベース３３から削除してよいと判断した場合、「はい」を選択し、ステップｄ３に移行し、冷蔵庫データベース３３から食材情報の削除を行う。
【００９０】
使用者が、賞味期限切れでも大丈夫なものがあると判断した場合、「いいえ」を選択し、ステップｄ６に移行し、出力部１４による画面表示は、図１０（ｂ）に示す表示へと遷移する。ステップｄ６において使用者は、賞味期限切れ食材リストの中から削除したい食材を選択する。次に、ステップｄ７に移行し、ステップｄ６で削除する食材として選択された食材の情報を、冷蔵庫データベース３３から削除する。
【図面の簡単な説明】
【００９１】
【図１】本発明の一実施形態に係る情報管理支援装置１０の構成を表すブロック図である。
【図２】記憶部１１が記憶する情報および演算部１３が算出する情報の相互関係を表す図である。
【図３】本発明の一実施形態において、情報管理支援装置１０が不足材料情報Ｄ４を算出する処理における工程を表すフローチャートである。
【図４】本発明の一実施形態において、入力促進情報が出力されてから不足材料情報Ｄ４が算出されるまでの出力部１４の画面を、その遷移の順番に沿って表す図である。
【図５】本発明の一実施形態における不足材料情報Ｄ４算出後の、材料情報の処理における工程を表すフローチャートである。
【図６】本発明の一実施形態において購入材料情報Ｄ２を取得し始めてからの出力部１４の画面を、その遷移の順番に沿って表す図である。
【図７】本発明の一実施形態において、使用が終了した材料の情報の入力を行うときの処理の工程を表すフローチャートである。
【図８】本発明の一実施形態において使用が終了した材料の情報の入力を行うときの出力部１４の画面を、その遷移の順番に沿って表す図である。
【図９】本発明の一実施形態において、賞味期限切れの食材がある場合の処理の工程を表すフローチャートである。
【図１０】本発明の一実施形態において賞味期限切れの食材がある場合の出力部１４の画面を、その遷移の順番に沿って表す図である。
【符号の説明】
【００９２】
１０  情報管理支援装置
１１  記憶部
１２  受信部
１３  演算部
１４  出力部
１６  使用者入力部
１７  時刻計測部
１８  入力部
１９  設定時刻入力部
２１  ＰＯＳターミナル
２２  入力キー
２４  キー制御部
２６  非接触ＩＣカード
２７  非接触ＩＣ制御部
２８  液晶ディスプレイ
３２  表示制御部
３３  冷蔵庫データベース
３４  メモ記憶部
【図１】
2010044463.tif 000003
【図２】
2010044463.tif 000004
【図３】
2010044463.tif 000005
【図４】
2010044463.tif 000006
【図５】
2010044463.tif 000007
【図６】
2010044463.tif 000008
【図７】
2010044463.tif 000009
【図８】
2010044463.tif 000010
【図９】
2010044463.tif 000011
【図１０】
2010044463.tif 000012